【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】  環境センサとディスプレイとを備えた環境モニタリングユニットと、前記環境モニタリングユニットの内部もしくは外部に設けられ前記環境センサが取得したデータを管理するエージェントとを有し、前記エージェントは、ネットワークを経由して既往のデータベースにアクセスするとともに、前記データベースから獲得した知識を用いて前記環境センサが取得したデータを処理して前記ディスプレイに表示することを特徴とする知識獲得型環境適応システム。
【請求項２】  ディスプレイが表示する情報内容に、既往のデータベースから獲得した知識と環境センサが取得したデータとを用いてエージェントが導出提供した行動指令が含まれていることを特徴とする請求項１記載の知識獲得型環境適応システム。
【請求項３】  エージェントが環境モニタリングユニットの外部に設けられ、前記環境モニタリングユニットの内部には前記エージェントの指令を受けて環境センサとディスプレイとを制御する制御手段が設けられていることを特徴とする請求項１記載の知識獲得型環境適応システム。
【請求項４】  １つのエージェントが複数の環境モニタリングユニットを統合管理し、複数の環境センサから取得したデータを処理することを特徴とする請求項２または３記載の知識獲得型環境適応システム。
【請求項５】  環境センサと環境浄化デバイスと移動手段とを備えた複数の環境浄化ユニットと、前記環境浄化ユニットの外部に設けられ前記環境センサ各々が取得するデータを統合して管理するエージェントとを有し、前記エージェントは、ネットワークを経由して既往のデータベースにアクセスし、さらに前記データベースから獲得した知識と前記環境センサ各々が取得したデータとを用いて前記環境浄化ユニットそれぞれへの行動指令を導出提供し、かつ前記環境センサと環境浄化デバイスと移動手段とを制御する知識獲得型環境適応システム。
【請求項６】  環境センサと環境浄化デバイスと移動手段と通信手段と制御手段とを備えた複数の自律分散型環境浄化ユニットと、前記環境浄化ユニットの内部もしくは外部に設けられ前記環境センサ各々が取得するデータを統合して管理するエージェントとを有し、前記制御手段が前記通信手段を介して相互に交信し前記移動手段を制御してそれぞれの環境浄化ユニットの位置を調整するとともに、前記エージェントは、ネットワークを経由
して既往のデータベースにアクセスし、さらに前記データベースから獲得した知識と前記環境センサ各々が取得したデータとを用いて前記環境浄化ユニットそれぞれへの行動指令を導出提供し、前記環境浄化ユニットそれぞれにおいては、前記行動指令を受けて、前記制御手段が前記環境センサと前記環境浄化デバイスと前記移動手段を制御する知識獲得型環境適応システム。
【請求項７】  エージェントが、現象論的相関、理論的相関によって獲得された相関関係を構造情報によって分類し、かつ意思決定における個々の成功事例を継続的に蓄積し、新たな事象に関しては構造上、もしくは数値化やグラフ化された位相空間上の類似性を活用して、蓄積されている成功事例に基づいて意思決定を行うことを特徴とする請求項１、５、６のいずれかに記載の知識獲得型環境適応システム。
【請求項８】  環境センサがモジュール化されており、センシングする対象に合わせて適宜取り替えられるように構成されたことを特徴とする請求項１、５、６のいずれかに記載の知識獲得型環境適応システム。
【請求項９】  環境センサは、植物又はプランクトンの生育状況による判別方式を用いて、大気中、水中、土壌中の少なくとも１箇所における汚染物質を計測することを特徴とする請求項１、５、６のいずれかに記載の知識獲得型環境適応システム。
【請求項１０】  環境浄化デバイスがモジュール化されており、浄化する対象に合わせて適宜取り替えられるように構成されたことを特徴とする請求項５または６記載の知識獲得型環境適応システム。
【請求項１１】  環境浄化デバイスは、警告機能を有することを特徴とする請求項５または６記載の知識獲得型環境適応システム。
【請求項１２】  環境浄化デバイスは、フィルタリング機能を有することを特徴とする請求項５または６記載の知識獲得型環境適応システム。
【請求項１３】  環境浄化デバイスに既往のデータベースと環境センサが取得したデータとを用いてエージェントが導出提供した行動指令を表示するディスプレイが備えられていることを特徴とする請求項５または６記載の知識獲得型環境適応システム。
【手続補正２】
【補正対象書類名】明細書
【補正対象項目名】００２３
【補正方法】変更
【補正の内容】
【００２３】
【発明の実施の形態】
本発明の第１の態様は、環境センサとディスプレイとを備えた環境モニタリングユニットと、前記環境モニタリングユニットの内部もしくは外部に設けられ前記環境センサが取得したデータを管理するエージェントとを有し、前記エージェントは、ネットワークを経由して既往のデータベースにアクセスするとともに、前記データベースから獲得した知識を用いて前記環境センサが取得したデータを処理して前記ディスプレイに表示することを特徴とする知識獲得型環境適応システムであり、地球環境や地域環境の状態をセンシングするとともに信頼性の高いデータを参照して評価することで適切な情報を提供することができるという作用を有する。
【手続補正３】
【補正対象書類名】明細書
【補正対象項目名】００２４
【補正方法】変更
【補正の内容】
【００２４】
本発明の第２の態様は、環境モニタリングユニットが、人体に装着可能な携帯機器であ
ることを特徴とする第１の態様による知識獲得型環境適応システムであり、携帯する人間のデータの取得を可能とし適切な情報を直接人間に提供することができるという作用を有する。
【手続補正４】
【補正対象書類名】明細書
【補正対象項目名】００２５
【補正方法】変更
【補正の内容】
【００２５】
本発明の第３の態様は、ディスプレイが表示する情報内容に、既往のデータベースから獲得した知識と環境センサが取得したデータとを用いてエージェントが導出提供した行動指令が含まれていることを特徴とする第１の態様による知識獲得型環境適応システムとしたものであり、ディスプレイに必要な情報を表示することで人間が環境情報を適切に判断した行動をとれるように支援することができるという作用を有する。
【手続補正５】
【補正対象書類名】明細書
【補正対象項目名】００２６
【補正方法】変更
【補正の内容】
【００２６】
本発明の第４の態様は、エージェントが環境モニタリングユニットの外部に設けられ、前記環境モニタリングユニットの内部には前記エージェントの指令を受けて環境センサとディスプレイとを制御する制御手段が設けられていることを特徴とする第１の態様による知識獲得型環境適応システムとしたものであり、エージェントと環境モニタリングユニットを分離最適化することで高度な機能を安く提供することができるという作用を有する。
【手続補正６】
【補正対象書類名】明細書
【補正対象項目名】００２７
【補正方法】変更
【補正の内容】
【００２７】
そして本発明の第５の態様のように、１つのエージェントが複数の環境モニタリングユニットを統合管理し、複数の環境センサから取得したデータを処理することを特徴とする第３又は第４の態様による知識獲得型環境適応システムとするのが、好適である。
【手続補正７】
【補正対象書類名】明細書
【補正対象項目名】００２８
【補正方法】変更
【補正の内容】
【００２８】
本発明の第６の態様は、環境センサと環境浄化デバイスと移動手段とを備えた複数の環境浄化ユニットと、前記環境浄化ユニットの外部に設けられ前記環境センサ各々が取得するデータを統合して管理するエージェントとを有し、前記エージェントは、ネットワークを経由して既往のデータベースにアクセスし、さらに前記データベースから獲得した知識と前記環境センサ各々が取得したデータとを用いて前記環境浄化ユニットそれぞれへの行動指令を導出提供し、かつ前記環境センサと環境浄化デバイスと移動手段とを制御する知
識獲得型環境適応システムとしたものであり、地球環境や地域環境の状態をセンシングするとともに信頼性の高いデータを参照して評価することで適切に環境浄化作業を遂行することができるという作用を有する。
【手続補正８】
【補正対象書類名】明細書
【補正対象項目名】００２９
【補正方法】変更
【補正の内容】
【００２９】
本発明の第７の態様は、環境センサと環境浄化デバイスと移動手段と通信手段と制御手段とを備えた複数の自律分散型環境浄化ユニットと、前記環境浄化ユニットの内部もしくは外部に設けられ前記環境センサ各々が取得するデータを統合して管理するエージェントとを有し、前記制御手段が前記通信手段を介して相互に交信し前記移動手段を制御してそれぞれの環境浄化ユニットの位置を調整するとともに、前記エージェントは、ネットワークを経由して既往のデータベースにアクセスし、さらに前記データベースから獲得した知識と前記環境センサ各々が取得したデータとを用いて前記環境浄化ユニットそれぞれへの行動指令を導出提供し、前記環境浄化ユニットそれぞれにおいては、前記行動指令を受けて、前記制御手段が前記環境センサと前記環境浄化デバイスと前記移動手段を制御する知識獲得型環境適応システムとしたものであり、各環境浄化ユニットが自律的に行動して最適な位置関係を保ちながら地球環境や地域環境の状態をセンシングするとともに信頼性の高いデータを参照して評価することで適切かつ効率的に環境浄化作業を遂行することができるという作用を有する。
【手続補正９】
【補正対象書類名】明細書
【補正対象項目名】００３０
【補正方法】変更
【補正の内容】
【００３０】
本発明の第８の態様は、エージェントが、現象論的相関、理論的相関によって獲得された相関関係を構造情報によって分類し、かつ意思決定における個々の成功事例を継続的に蓄積し、新たな事象に関しては構造上、もしくは数値化やグラフ化された位相空間上の類似性を活用して、蓄積されている成功事例に基づいて意思決定を行うことを特徴とする第１、第６、第７のいずれかの態様による知識獲得型環境適応システムとしたものであり、多様で複雑な対象であっても適切な情報と行動指令を提供し、適用範囲の制約を拡大しながら対象領域の透過性を高めることができるという作用を有する。
【手続補正１０】
【補正対象書類名】明細書
【補正対象項目名】００３１
【補正方法】変更
【補正の内容】
【００３１】
本発明の第９の態様は、環境浄化ユニットが、動植物、もしくは島や岩石などの自然創造物に類似した形状及び色を有することを特徴とする第６又は第７の態様による知識獲得型環境適応システムとしたものであり、周囲の景観とも調和して威圧感や違和感無く環境センシングや環境浄化作業を遂行することができるという作用を有する。
【手続補正１１】
【補正対象書類名】明細書
【補正対象項目名】００３２
【補正方法】変更
【補正の内容】
【００３２】
そして本発明の第１０の態様のように、環境センサがモジュール化されており、センシングする対象に合わせて適宜取り替えられるように構成されたことを特徴とする第１、第６、第７のいずれかの態様による知識獲得型環境適応システムとするのが、好適である。
【手続補正１２】
【補正対象書類名】明細書
【補正対象項目名】００３３
【補正方法】変更
【補正の内容】
【００３３】
また、本発明の第１１の態様のように、環境センサが大気中、水中、土壌中の少なくとも１箇所における汚染物質を計測することを特徴とする第１、第６、第７のいずれかの態様による知識獲得型環境適応システムとしても良い。
【手続補正１３】
【補正対象書類名】明細書
【補正対象項目名】００３４
【補正方法】変更
【補正の内容】
【００３４】
また、本発明の第１２の態様のように、環境センサは、植物の生育状況による判別方式を用いることを特徴とする第１１の態様による知識獲得型環境適応システムとするのが好適である。
【手続補正１４】
【補正対象書類名】明細書
【補正対象項目名】００３５
【補正方法】変更
【補正の内容】
【００３５】
また、本発明の第１３の態様のように、環境センサは、プランクトンの生育状況による判別方式を用いることを特徴とする第１１の態様による知識獲得型環境適応システムとするのが好適である。
【手続補正１５】
【補正対象書類名】明細書
【補正対象項目名】００３６
【補正方法】変更
【補正の内容】
【００３６】
また、本発明の第１４の態様のように、環境センサは、周囲の温度、湿度、気圧等を計測することを特徴とする第１、第６、第７のいずれかの態様による知識獲得型環境適応システムとしても良い。
【手続補正１６】
【補正対象書類名】明細書
【補正対象項目名】００３７
【補正方法】変更
【補正の内容】
【００３７】
また、本発明の第１５の態様のように、環境センサは、太陽光の波長分布を計測することを特徴とする第１、第６、第７のいずれかの態様による知識獲得型環境適応システムとしても良い。
【手続補正１７】
【補正対象書類名】明細書
【補正対象項目名】００３８
【補正方法】変更
【補正の内容】
【００３８】
また、本発明の第１６の態様のように、環境センサは、放射線濃度を計測することを特徴とする第１、第６、第７のいずれかの態様による知識獲得型環境適応システムとしても良い。
【手続補正１８】
【補正対象書類名】明細書
【補正対象項目名】００３９
【補正方法】変更
【補正の内容】
【００３９】
また、本発明の第１７の態様のように、環境センサは、人体の体温や血圧、脈拍等を計測することを特徴とする第２の態様による知識獲得型環境適応システムとしても良い。
【手続補正１９】
【補正対象書類名】明細書
【補正対象項目名】００４０
【補正方法】変更
【補正の内容】
【００４０】
そして本発明の第１８の態様のように、更に、音声もしくは画像情報の通信機能を有する通信手段を備えたことを特徴とする第１の態様による知識獲得型環境適応システムとするのが好適である。
【手続補正２０】
【補正対象書類名】明細書
【補正対象項目名】００４１
【補正方法】変更
【補正の内容】
【００４１】
また、本発明の第１９の態様のように、通信手段は、音声もしくは画像情報の通信機能を有することを特徴とする第６又は第７の態様による知識獲得型環境適応システムとするのが好適である。
【手続補正２１】
【補正対象書類名】明細書
【補正対象項目名】００４２
【補正方法】変更
【補正の内容】
【００４２】
そして本発明の第２０の態様のように、環境浄化デバイスがモジュール化されており、浄化する対象に合わせて適宜取り替えられるように構成されたことを特徴とする第６又は第７の態様による知識獲得型環境適応システムとするのが好適である。
【手続補正２２】
【補正対象書類名】明細書
【補正対象項目名】００４３
【補正方法】変更
【補正の内容】
【００４３】
そして本発明の第２１の態様のように、環境浄化デバイスは、警告機能を有することを特徴とする第６又は第７の態様による知識獲得型環境適応システムとするのが好適である。
【手続補正２３】
【補正対象書類名】明細書
【補正対象項目名】００４４
【補正方法】変更
【補正の内容】
【００４４】
そして本発明の第２２の態様のように、環境浄化デバイスは、フィルタリング機能を有することを特徴とする第６又は第７の態様による知識獲得型環境適応システムとするのが好適である。
【手続補正２４】
【補正対象書類名】明細書
【補正対象項目名】００４５
【補正方法】変更
【補正の内容】
【００４５】
また、本発明の第２３の態様のように、環境浄化デバイスに既往のデータベースと環境センサが取得したデータとを用いてエージェントが導出提供した行動指令を表示するディスプレイが備えられていることを特徴とする第６又は第７の態様による知識獲得型環境適応システムとするのが良い。
【手続補正２５】
【補正対象書類名】明細書
【補正対象項目名】００４６
【補正方法】変更
【補正の内容】
【００４６】
また、本発明の第２４の態様のように、ディスプレイが液晶方式で構成されていることを特徴とする第１又は第２３の態様による知識獲得型環境適応システムとしても良い。
【手続補正２６】
【補正対象書類名】明細書
【補正対象項目名】００４７
【補正方法】変更
【補正の内容】
【００４７】
また、本発明の第２５の態様のように、ディスプレイがエレクトロルミネッセンス方式で構成されていることを特徴とする第１又は第２３の態様による知識獲得型環境適応システムとしても良い。